(57)【要約】      （修正有）【課題】おもちゃパッドを提供する。【解決手段】四枚以上のマット１を含み、マット外部の４つの頂角は円弧で過渡し、四枚マットが組み合わせた後溝を形成し、溝に連結ブロック２を組み込み、各マットの上部に対称に八つの差し込み穴３を設置し、同側の２つの差し込み穴の間にストッパー４を配合し、ストッパーの底に差し込み穴を配合する挿しブロックを設置し、ストッパーの側にガイド縁４１１を設置し、ストッパーの向こう側にガイド縁を配合するガイドスロット４１２を設置し、マットの上に装飾パッド１２１を組み合わせ、装飾パッドの左右両方に傾斜するガイドブロック１１１を設置し、傾斜するガイドブロックにガイド斜面を設置し、マットの下の表面に滑り止めパッドを設置し、滑り止めパッドの底に均等にすべり止め用のしわを分布し、滑り止めパッドとマットの間に接着固定します。【選択図】図１
0003206189.tif 000002
【実用新案登録請求の範囲】
【請求項１】
おもちゃパッドにおいて、
四枚以上のマットを含み、前記のマット外部の4つの頂角は円弧で過渡し、前記の四枚マットが組み合わせた後溝を形成し、前記の溝に連結ブロックを組み込み、前記の各マットの上部に対称に八つの差し込み穴を設置し、同側の2つの前記の差し込み穴の間にストッパーを配合し、前記のストッパーの底に前記の差し込み穴を配合する挿しブロックを設置し、前記のストッパーの側にガイド縁を設置し、前記のストッパーの向こう側に前記のガイド縁を配合するガイドスロットを設置し、前記のマットの上に装飾パッドを組み合わせ、前記の装飾パッドの左右両方に傾斜するガイドブロックを設置し、前記の傾斜するガイドブロックにガイド斜面を設置し、前記のマットの下の表面に滑り止めパッドを設置し、前記の滑り止めパッドの底に均等にすべり止め用のしわを分布し、前記の滑り止めパッドと前記のマットの間に接着固定する
ことを特徴とするおもちゃパッド。
【考案の詳細な説明】
【技術分野】
【０００１】
本発明は一種の新型おもちゃパッドに関する
【背景技術】
【０００２】
乳幼児は成長・発育の期間に、おもちゃパッドを使用する必要があり、おもちゃパッドは乳幼児に柔らかい保護を与えることができ、乳幼児は爬行と走行を練習することに便利で、しかし既存の技術でのおもちゃパッドは簡単なバックル固定方式で、その外部は単独に設立する枠組みで保護し、枠組みの受力能力は比較的に劣り、置くことが不安定で、同時にバックル固定方式はマットが変形した後、再びバックルしにくく、バックルしても隆起を形成し、乳幼児につまずいて転ばせることができます。
【考案の概要】
【考案が解決しようとする課題】
【０００３】
本発明は解決する技術問題が一種の新型おもちゃパッドを提供し、本請求は平らに敷いたマットを通じ下部の保護作用を果たし、マットが形成した溝の内に連結ブロックを組み込むことを通じ、マットの間の相対変位を避けることができ、同時に全体のマットの上表面は一つの平面を形成すると保証することができ、これによって隙間の発生を避け、ストッパーを通じもっと良くマットの外側に保護し、乳幼児が越えることを避け、設置した滑り止めパッドでパッドの移動を防止することができ、傾斜するガイドブロックを通じ、効果的に乳幼児はマットを超える時、地面とぶつかることを避けることができ、乳幼児にわりに良い保護作用を果たす。
【課題を解決するための手段】
【０００４】
上述の問題を解決するために、本発明は次の技術方策を採用する
【０００５】
一種の新型おもちゃパッドで、四枚以上のマットを含み、前記のマット外部の4つの頂角は円弧で過渡し、前記の四枚マットが組み合わせた後溝を形成し、前記の溝に連結ブロックを組み込み、前記の各マットの上部に対称に八つの差し込み穴を設置し、同側の2つの前記の差し込み穴の間にストッパーを配合し、前記のストッパーの底に前記の差し込み穴を配合する挿しブロックを設置し、前記のストッパーの側にガイド縁を設置し、前記のストッパーの向こう側に前記のガイド縁を配合するガイドスロットを設置し、前記のマットの上に装飾パッドを組み合わせ、前記の装飾パッドの左右両方に傾斜するガイドブロックを設置し、前記の傾斜するガイドブロックにガイド斜面を設置し、前記のマットの下の表面に滑り止めパッドを設置し、前記の滑り止めパッドの底に均等にすべり止め用のしわを分布し、前記の滑り止めパッドと前記のマットの間に接着固定します。
【０００６】
最適に、前記のパッドの厚度は10mm−25mmで、前記のストッパーの厚度は前記のパッドの厚度と同じです。
【０００７】
最適に、前記の傾斜するガイドブロックは前記の装飾パッドと連結する位置の厚度が前記のパッドの厚度と同じです。
【０００８】
最適に、前記の装飾パッドの厚度は1mm−2mmです。
【考案の効果】
【０００９】
本発明は、本請求は平らに敷いたマットを通じ下部の保護作用を果たし、マットが形成した溝の内に連結ブロックを組み込むことを通じ、マットの間の相対変位を避けることができ、同時に全体のマットの上表面は一つの平面を形成すると保証することができ、これによって隙間の発生を避け、ストッパーを通じもっと良くマットの外側に保護し、乳幼児が越えることを避け、設置した滑り止めパッドでパッドの移動を防止することができ、傾斜するガイドブロックを通じ、効果的に乳幼児はマットを超える時、地面とぶつかることを避けることができ、乳幼児にわりに良い保護作用を果たし、本請求は構造が比較的に簡単で、コストが比較的に安く、普及に適合する効果を持っています。
【図面の簡単な説明】
【００１０】
【図１】本発明の俯瞰図
【図２】パッドは滑り止めパッドと組み合わせた構造図
【考案を実施するための形態】
【００１１】
以下では、付図を結合し本発明の最適な実施例を詳しく述べ、本分野の技術者に更に容易に本発明の長所と特徴を理解させることができ、これによって本発明の保護範囲に対して、もっとはっきりとした明確な限定を作ることができます。
【００１２】
図１と図2に示した一種の新型おもちゃパッドを参照し、四枚以上のマット1を含み、前記のマット1外部の4つの頂角は円弧で過渡し、前記の四枚マット1が組み合わせた後溝（構造図はありません）を形成し、前記の溝に連結ブロック2を組み込み、前記の各マット1の上部に対称に八つの差し込み穴3を設置し、同側の2つの前記の差し込み穴3の間にストッパー4を配合し、前記のストッパー4の底に前記の差し込み穴3を配合する挿しブロック（構造図はありません）を設置し、前記のストッパー4の側にガイド縁411を設置し、前記のストッパー4の向こう側に前記のガイド縁411を配合するガイドスロット412を設置し、前記のマット1の上に装飾パッド121を組み合わせ、前記の装飾パッド121の左右両方に傾斜するガイドブロック111を設置し、前記の傾斜するガイドブロック111にガイド斜面（構造図はありません）を設置し、前記のマット1の下の表面に滑り止めパッド131を設置し、前記の滑り止めパッド131の底に均等にすべり止め用のしわを分布し、前記の滑り止めパッド131と前記のマット1の間に接着固定します。
【００１３】
本発明で１つの比較的に良い実施例で、前記のパッド1の厚度は10mmで、前記のストッパーの厚度は前記のパッドの厚度と同じです。
【００１４】
本発明で１つの比較的に良い実施例で、前記の傾斜するガイドブロック111は前記の装飾パッド121と連結する位置の厚度が前記のパッド1の厚度と同じです。
【００１５】
本発明で１つの比較的に良い実施例で、前記の装飾パッド121の厚度は1mmです。
【００１６】
本発明は、本請求は平らに敷いたマットを通じ下部の保護作用を果たし、マットが形成した溝の内に連結ブロックを組み込むことを通じ、マットの間の相対変位を避けることができ、同時に全体のマットの上表面は一つの平面を形成すると保証することができ、これによって隙間の発生を避け、ストッパーを通じもっと良くマットの外側に保護し、乳幼児が越えることを避け、設置した滑り止めパッドでパッドの移動を防止することができ、傾斜するガイドブロックを通じ、効果的に乳幼児はマットを超える時、地面とぶつかることを避けることができ、乳幼児にわりに良い保護作用を果たし、本請求は構造が比較的に簡単で、コストが比較的に安く、普及に適合する効果を持っています。
【００１７】
以上は、本発明の基本原理、主要特徴と長所を示し述べます。本業界の技術者は理解すべき、本発明は上記の実施例の制限を受けなく、上記の実施例と説明書で述べたのは、ただ本発明の原理を説明し、本発明の精神と範囲を離れない前提で、本発明はまた各種の変化と改善があり、これらの変化と改善は請求した保護される本発明の範囲に属します。本発明は請求した保護範囲が寄附する権利請求書とその等しい物から決められます。
【図１】
0003206189.tif 000003
【図２】
0003206189.tif 000004